【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
少なくとも１のパケットの変形を行なうための、あるいは少なくとも２のパケットを互いの方に移動させるためのマイクロ流体デバイス（１）において、該デバイスが、軸（Ｘ）を有するマイクロチャネル（２）、および下記の少なくとも１を含むところのデバイス
発電ユニット（９）、および上記発電ユニット（９）に連結されかつ、上記マイクロチャネルの少なくとも一部分の内部に、上記マイクロチャネルの軸（Ｘ）と実質的に共線的である電場を作るように構成された電極アッセンブリ（３）、ここで、上記発電ユニット（９）は、電場がマイクロチャネルにおいて少なくとも１のパケットを変形させるまたは少なくとも２のパケットを互いの方に移動させるような振幅および周波数を有する電場を発生させることができる、および
上記マイクロチャネルの一部と連結した第一端および、上記少なくとも２のパケットの間のまたは上記少なくとも１のパケットとその周囲との間の界面張力を変えることができる溶液を運ぶために適したデリバリー系と連結した第二端を有する少なくとも１のサイドチャネル、ここで、上記デリバリー系は、上記少なくとも２のパケットまたは少なくとも１のパケットがマイクロチャネルの上記部分を通過する少なくとも間に、マイクロチャネルの上記部分に上記溶液を運ぶように構成されている。
【請求項２】
電場がマイクロチャネルの軸（Ｘ）と実質的に共線的であるところの上記マイクロチャネルの少なくとも一部分が、該部分の厚さの約１〜約１００倍の長さを有する、請求項１記載のデバイス。
【請求項３】
電極アッセンブリ（３）が、マイクロチャネル（２）の内部表面から電気的に絶縁されている、請求項１または２記載のデバイス。
【請求項４】
電極アッセンブリ（３）が、電極間の電場がマイクロチャネルの軸（Ｘ）と実質的に共線的であるのに十分な距離だけマイクロチャネルの軸に沿って軸方向に間隔をあけて置かれた少なくとも２の電極（４；３５）を含む、請求項１〜３のいずれか１項記載のデバイス。
【請求項５】
該電極（４；３５）の少なくとも１が、マイクロチャネル（２）を横切って互いに向かい合う少なくとも２の等電位部分を含む、請求項４記載のデバイス。
【請求項６】
該電極（４）の少なくとも１が、マイクロチャネルを取り囲む円筒状表面を有する、請求項４記載のデバイス。
【請求項７】
該電極（４；３５）が、マイクロチャネルの厚さより大きい長さを有するギャップ（６）だけ間隔をあけて置かれている、請求項４記載のデバイス。
【請求項８】
発電ユニットが連続電場を発生するように構成されている、請求項１〜７のいずれか１項記載のデバイス。
【請求項９】
発電ユニットが可変電場を発生するように構成されている、請求項１〜８のいずれか１項記載のデバイス。
【請求項１０】
発電ユニット（９）が、１００Ｈｚ〜１０ｋＨｚの周波数を有するＡＣ電場を発生するように構成されている、小滴を合体するための、請求項９記載のデバイス。
【請求項１１】
発電ユニット（９）が、５０Ｈｚより低い周波数を有するＡＣ電場を発生するように構成されている、少なくとも１の小滴を等分するための、請求項９記載のデバイス。
【請求項１２】
該溶液が界面活性剤を含む、請求項１記載のデバイス。
【請求項１３】
請求項１記載のデバイスのマイクロチャネル（２）中で少なくとも２のパケットを合体させるための方法において、上記方法が、
上記少なくとも２のパケットをマイクロチャネル内に導入すること、および
マイクロチャネルの少なくとも一部分内に電場を発生させること、ここで、上記パケットがマイクロチャネルの上記部分内に位置されているときに少なくとも、上記電場が、２つのパケットを互いの方に移動させるように選択された振幅および周波数を有する、
を含むところの方法。
【請求項１４】
上記電場が、上記マイクロチャネルの縦軸と実質的に共線的である、請求項１３記載の方法。
【請求項１５】
上記パケットの少なくとも１が生物学的物質を含む、請求項１３記載の方法。
【請求項１６】
マイクロ容器中の少なくとも１のパケットに少なくとも１の操作を行なうための方法において、上記マイクロ容器が内部の管状疎水性表面を有し、上記マイクロ容器が、上記パケットと混和しない担体流体で少なくとも部分的に満たされており、上記担体流体は、上記パケットと上記担体流体との間の表面張力を低下させるのに十分な濃度の少なくとも１の界面活性剤を含むところの方法。
【請求項１７】
マイクロ容器中の少なくとも１のパケットに少なくとも１の操作を行なうための方法において、上記マイクロ容器がマイクロ容器の内部空間を規定する少なくとも１の管状部分を有し、
上記管状部分が、内部コーティングされていない、フッ素化されたバルク物質で作られ、または、
上記管状部分が、フッ素化されていないバルク物質で作られ、管状部分の内部表面の周囲全体上を永久の層で被覆されており、
ここで、上記マイクロ容器が、上記パケットと混和しない担体流体で少なくとも部分的に満たされており、上記担体流体は、上記パケットと上記担体流体との間の界面張力を低下させるのに十分な濃度の少なくとも１の界面活性剤を含むところの方法。
【請求項１８】
マイクロ容器が、一連の少なくとも２の管状部分を含み、第一の管状部分が、フッ素化されたバルク物質で作られ、第二の管状部分が、フッ素化されていないバルク物質で作られかつ内部の周囲全体上を永久の層で被覆されている、請求項１７記載の方法。
【請求項１９】
永久の層またはバルク物質が溶融シリカガラス、ＰＤＭＳ（ポリジメチルシロキサン）、ＰＭＭＡ（ポリメチルメタクリレート）；ポリエチレン、ポリイミド、エポキシ、テフロン（登録商標）、パリレン（登録商標）、ポリスチレン、ポリエチレンテレフタレート、ポリエステル、環状オレフィンコポリマーおよび他のエラストマーまたはプラスチック；ガラス、二酸化ケイ素および他の非導電性酸化物；ダイアモンド、非導電性セラミック、シリコーン、エラストマー、ガラス状物質、鉱物物質、セラミック、ポリマー、熱可塑性ポリマー、熱硬化性樹脂、光硬化性樹脂、コポリマー、シラン、フルオロシランならびにフルオロポリマーから選択される物質を含む、請求項１８記載の方法。
【請求項２０】
操作が、上記少なくとも１のパケットを移動させること、上記少なくとも１のパケットを分裂させること、上記少なくとも１のパケットを少なくとも１の別のパケットと合体させること、および上記少なくとも１のパケットを反応させることの少なくとも１である、請求項１７記載の方法。
【請求項２１】
操作が、上記少なくとも１のパケットを少なくとも２の異なる物理的および／または化学的条件に順次暴露させることを含む、請求項１７記載の方法。
【請求項２２】
マイクロ容器中の少なくとも１のパケットに少なくとも１の操作を行なうための方法において、上記マイクロ容器が内部表面を有し、上記マイクロ容器が、上記少なくとも１のパケットと混和せずかつ少なくとも１の界面活性剤を含む担体流体を入れられており、上記パケットと上記マイクロ容器の内壁との間の界面張力と、上記少なくとも１のパケットと上記担体流体との間の界面張力との相違が、少なくとも２６ｍＮ／ｍであるところの方法。
【請求項２３】
担体流体中の界面活性剤の濃度が、約０．０１重量％〜約１０重量％である、請求項２２記載の方法。
【請求項２４】
上記界面活性剤がフルオロ界面活性剤である、請求項２２記載の方法。
【請求項２５】
フルオロ界面活性剤が１H，１H，２H，２Hパーフルオロデカン−１−オールである、請求項２４記載の方法。
【請求項２６】
管状部分がシラン化されている、請求項２２記載の方法。
【請求項２７】
パケットと混和しない担体流体中に入れられた少なくとも１のパケットに少なくとも１の化学的、物理的または生物学的操作を行なうためのデバイスにおいて、上記デバイスが上記パケットを含む上記担体流体を取り囲む少なくとも１のマイクロ容器を含み、上記マイクロ容器の内部表面がフッ素化されており、上記担体流体が少なくとも０．１ｃｍｃ（臨界ミセル濃度）の比濃度の界面活性剤を含むところのデバイス。
【請求項２８】
マイクロ容器を含むマイクロ流体デバイスにおいて、上記デバイスが、マイクロ容器の内部空間を形成する管状の疎水性バルク部分を含み、上記管状部分が疎水性層で被覆されているところのデバイス。
【請求項２９】
少なくとも１のパケットを少なくとも１のマイクロチャネルから別のマイクロチャネルの方へ汚染なしで輸送させることができるコネクターにおいて、上記コネクターが、バルク物質を含み、その内部表面全体の上に疎水性層を有し、上記層が、フッ素化された物質およびシラン化された物質の１を含むところのコネクター。
【請求項３０】
マイクロチャネルを含むマイクロ流体デバイス、および
上記マイクロ流体デバイス上に取り付けるための、請求項２９記載のコネクター、
を含むキット。
【請求項３１】
パケットに少なくとも１の操作を行なうためのキットにおいて、
少なくとも１の疎水性物質を含む内部表面を有するマイクロ容器、および
上記パケットと混和しない担体流体、ここで、上記担体流体は、上記パケットと上記水と混和しない流体との間の表面張力を低下させるのに十分な濃度の少なくとも１の界面活性剤を含む、
を含むところのキット。
【請求項３２】
請求項２９記載のコネクター、および
上記コネクタ−に連結した少なくとも１の毛細管
を含むアッセンブリ。
【請求項３３】
下記の少なくとも１を行なうための、請求項１記載のデバイスを使用する方法、
混合、
核酸のスクリーニング、
核酸の増幅、例えばＰＣＲ、ＮＡＳＢＡ、ローリングサークル型増幅による核酸の増幅、
ＲＮＡ逆転写、
遺伝子型の決定、
プロテオミクス分析、
トランスクリプトーム分析、
結晶化および特にたんぱく質の結晶化、
医薬標的、薬学的ヒットまたは糸口、または薬物の探索および評価、
酵素−たんぱく質反応、
抗原−抗体反応、
化学的または生物学的生成物のライブラリーのスクリーニング、
高処理量スクリーニング、
薬物デリバリー、
診断、
少なくとも１の生きた細胞または死んだ細胞の分析または溶解、
微生物の分析、
化学反応、
反応性触媒反応、
重合反応、
鎖を形成するためにコロイドまたは他の粒子を融合すること、
コロイド、エマルジョン、小胞、特に単分散コロイド状物体の調製、
ナノ粒子またはミクロ粒子の調製、
環境制御、
汚染物の検出、および
工業的プロセスの制御。